(57)【要約】【課題】汎用性や作業性上の問題を解決すると共に、装着後の取外しも可能になるチャンネル材用固定金具を提供する。【解決手段】  少なくとも９０度の回転を可能にしてリップ部Ｐ１相互の内側に係止する係止体１０を設ける。チャンネル材Ｐの開口部外側に係止する固定体２０を設ける。固定体２０に設けた略帯状の弾性連結体３０を介して固定体２０と係止体１０とを連結する。該弾性連結体３０の弾性力で固定体２０と係止体１０とをリップ部Ｐ１に仮止するように設ける。【選択図】図２
2005188700.tif 000002
【特許請求の範囲】
【請求項１】
リップ溝形鋼のチャンネル材開口部から内部に挿入され、少なくとも９０度の回転を可能にしてリップ部相互の内側に係止する係止体と、チャンネル材の開口部外側に係止する固定体とからなり、固定体側から係止体にネジ止めした固定ボルトを介して固定体と係止体との間にリップ部を緊締するチャンネル材用固定金具であって、固定体に設けた略帯状の弾性連結体を介して固定体と係止体とを連結し、該弾性連結体の弾性力で固定体と係止体とをリップ部に仮止するように設けたことを特徴とするチャンネル材用固定金具。
【請求項２】
前記弾性連結体において、前記固定体の長手両端部に設けたスライド孔から弾性連結体の長手両端部がスライド自在に突出するように設け、該弾性連結体の長手中央部に前記係止体を連結し、湾曲した弾性連結体に生じる弾性力で固定体と係止体とをリップ部に仮止めする請求項１記載のチャンネル材用固定金具。
【請求項３】
前記弾性連結体において、前記固定体のスライド孔から突出した弾性連結体の長手両端部を係止体方向に押し込むことで係止体を固定体からリップ部の厚み分スライドするように設けた請求項１又は２記載のチャンネル材用固定金具。
【請求項４】
前記係止体は、断面略倒コ字状に形成され、該係止体の内がわに前記弾性連結体を挿入し、該弾性連結体の長手中央部の両側に略直線状に突設した係止突起を係止体に設けた長孔状の係止孔に嵌合する請求項１乃至３いずれか記載のチャンネル材用固定金具。
【発明の詳細な説明】
【技術分野】
【０００１】
本発明は、リップ溝形鋼（以下、チャンネル材と称する）の開口部に固定し、該チャンネル材を吊ボルト等に連結し、あるいはチャンネル材に他の部材を連結する際に使用するチャンネル材用固定金具に関する。
【背景技術】
【０００２】
チャンネル材の開口部に固定する固定金具として、当出願人は特許文献１乃至特許文献３に記載の種々の金具を提案している。
【０００３】
特許文献１の支持金具は、チャンネル材の開口部にカバーや照明器具を連結する際に用いるもので、チャンネル材のリップ部内側に係止する挟着子と、開口部外側に係止する弾性挟着板とをネジ止めしたもので、このネジにカバーや照明器具を連結する支持金具である。
【０００４】
特許文献２に記載のナット金具は、照明器具や配線ボックス等を取付ける造営材や、配線ダクト、金属線ぴ等として使用されるチャンネル材の内部に、予め装着できるように設けたナット金具である。このナット金具によると、チャンネル材の内部に、ばね材を利用してナット金具を装着しておくことで、吊りボルト等の連結作業を容易にするものである。
【０００５】
特許文献３の支持金具は、特許文献２のナット金具を更に改良したものである。この支持金具では、チャンネル材の内部に装着したナット金具をより安定した状態に維持できるようにするため、帯状の弾性材を側面略Ｚ字形状に屈曲したものである。
【０００６】
更に、当出願人は、図９に示す固定金具も提供している。この固定金具は、チャンネル材を吊りボルト（図示せず）の下端部に連結し、ハンガー材として使用する際に用いる金具である。この固定金具によると、チャンネル材Ｐのリップ部Ｐ１内側に係止する係止部１００を、開口部外側に当接する固定部２００に揺動自在に連結することで、係止部１００をチャンネル材Ｐの開口部から内部に挿入して連結できるようにしている。
【特許文献１】実公昭４９−１６８７５号公報
【特許文献２】実公昭５５−６９８６号公報
【特許文献３】実公昭６３−１８８１８号公報
【発明の開示】
【発明が解決しようとする課題】
【０００７】
特許文献１の支持金具は、チャンネル材の開口部外側に弾性挟着板を当接し、チャンネル材の内部から開口部外側に突出した部品固定用ネジにカバーや照明器具等を連結する構成になっている。この構成では、リップ部内側に仮止めした挟着子に、吊りボルト等を連結することはできず、用途が限定される不都合があった。
【０００８】
特許文献２のナット金具が考案されると、吊りボルトの連結を可能にし、造営材や、配線ダクト、金属線ぴ用の固定金具として多くの用途に使用することが可能になった。ところが、チャンネル材の内部に装着されるばね材が安定せず、吊りボルトを連結する作業中にナット金具が移動する虞があるなど、連結時の作業性に課題を残していた。
【０００９】
特許文献３の支持金具により、チャンネル材の内部に装着したナット金具を安定した状態に維持できるようになった。ところが、側面略Ｚ字形状に屈曲した帯状の弾性材を使用しているので、この弾性材をチャンネル材へ装着する作業に手間を要していた。すなわち、特許文献３の弾性材は、施工ごとにナット金具と弾性材とを組み合わせる必要がある。またナット金具をチャンネル材の内部に装着した後で、取付け位置を調整する場合は、リップ部内部に装着した弾性材とナット金具とを同時に持って移動する必要がある。このように、特許文献３の支持金具では、装着時や位置調整時の作業性に問題を残していた。
【００１０】
一方、図９に記載の固定金具では、特許文献１乃至３の如き、汎用性や作業性上の問題を解決することが可能になっている。ところが、当該固定金具を一旦チャンネル材Ｐのリップ部Ｐ１に係止した後は、再び開口部から取外すことができない不都合が生じていた。すなわち、当該固定金具は、弾性連結体３００を介して固定部２００に連結した係止部１００を揺動させることで、チャンネル材Ｐの開口部がわから挿入し（図９（Ａ）参照）、リップ部Ｐ１に係止することが可能になっている。ところが、リップ部Ｐ１に係止部１００が係止した後は、開口部に当接した固定部２００が係止部１００の揺動を妨げるので、開口部から係止部１００を取り外すことができない構成になっている。そこで、一旦装着した固定金具を取外す為には、チャンネル材Ｐの長手端部まで固定金具を移動する必要がある（図９（Ｂ）参照）。しかしながら、他の部材がチャンネル材Ｐの開口部に装着されている状態では、このような移動が困難になるので、開口部に装着された固定金具は、そのまま放置されることも少なくない。
【００１１】
本発明は上述の課題を解消すべく創出されたもので、汎用性や作業性上の問題を解決すると共に、装着後の取外しも可能になるチャンネル材用固定金具の提供を目的とする。
【課題を解決するための手段】
【００１２】
本発明の第１の手段は、リップ溝形鋼のチャンネル材Ｐ開口部から内部に挿入され、少なくとも９０度の回転を可能にしてリップ部Ｐ１相互の内側に係止する係止体１０と、チャンネル材Ｐの開口部外側に係止する固定体２０とからなり、固定体２０側から係止体１０にネジ止めした固定ボルトＱを介して固定体２０と係止体１０との間にリップ部Ｐ１を緊締するチャンネル材用固定金具であって、固定体２０に設けた略帯状の弾性連結体３０を介して固定体２０と係止体１０とを連結し、該弾性連結体３０の弾性力で固定体２０と係止体１０とをリップ部Ｐ１に仮止するように設けたことにある。
【００１３】
第２の手段は、前記弾性連結体３０において、前記固定体２０の長手両端部に設けたスライド孔２１から弾性連結体３０の長手両端部がスライド自在に突出するように設け、該弾性連結体３０の長手中央部に前記係止体１０を連結し、湾曲した弾性連結体３０に生じる弾性力で固定体２０と係止体１０とをリップ部Ｐ１に仮止めするものである。
【００１４】
第３の手段は、前記弾性連結体３０において、前記固定体２０のスライド孔２１から突出した弾性連結体３０の長手両端部を係止体１０方向に押し込むことで係止体１０を固定体２０からリップ部Ｐ１の厚み分スライドするように設ける。
【００１５】
第４の手段の前記係止体１０は、断面略倒コ字状に形成され、該係止体１０の内がわに前記弾性連結体３０を挿入し、該弾性連結体の長手中央部の両側に略直線状に突設した係止突起３２を係止体１０に設けた長孔状の係止孔１１に嵌合することを課題解消のための手段とする。
【発明の効果】
【００１６】
本発明によると、少なくとも９０度の回転を可能にしてリップ部Ｐ１相互の内側に係止する係止体１０と、固定体２０との間にリップ部Ｐ１を緊締する際に、固定体２０に設けた略帯状の弾性連結体３０を介して固定体２０と係止体１０とを連結し、該弾性連結体３０の弾性力で固定体２０と係止体１０とをリップ部Ｐ１に仮止するように設けたことにより、汎用性や作業性上の問題を解決すると共に、装着後の取外しも可能になったものである。
【００１７】
また、湾曲した弾性連結体３０に生じる弾性力で固定体２０と係止体１０とをリップ部Ｐ１に仮止めし、固定体２０に連結した係止体１０をリップ部Ｐ１の厚み分スライドするように設けているので、装着作業や取外し作業が極めて容易に行える。しかも、リップ部Ｐ１に仮止めした後の位置調整を容易に行うことができる。
【００１８】
そして、断面略倒コ字状に形成され、該係止体１０の内がわに前記弾性連結体３０を挿入し、係止体１０に設けた長孔状の係止孔１１に嵌合する係止突起３２を、弾性連結体の長手中央部の両側に設けたことで、弾性連結体３０を介して固定体２０に連結した係止体１０の姿勢を常に保持することができる。この結果、係止体１０をリップ部Ｐ１の内部に挿入した後、係止体１０を９０度回転させる作業が容易になり、本発明固定金具の着脱作業を容易ならしめている。
【００１９】
このように、本発明によると、汎用性や作業性上の問題を解決すると共に、装着後の取外しも可能になるものである。
【発明を実施するための最良の形態】
【００２０】
本発明によると、リップ溝形鋼のチャンネル材Ｐ開口部から内部に挿入され、少なくとも９０度の回転を可能にしてリップ部Ｐ１相互の内側に係止する係止体１０と、チャンネル材Ｐの開口部外側に係止する固定体２０とからなり、固定体２０側から係止体１０にネジ止めした固定ボルトＱを介して固定体２０と係止体１０との間にリップ部Ｐ１を緊締するチャンネル材用固定金具において、固定体２０の長手両端部に設けたスライド孔２１から弾性連結体３０の長手両端部がスライド自在に突出するように設け、該弾性連結体３０の長手中央部に前記係止体１０を連結し、湾曲した弾性連結体３０に生じる弾性力で固定体２０と係止体１０とをリップ部Ｐ１に仮止めすることで、当初の目的を達成したものである。
【実施例】
【００２１】
本発明固定金具の基本構成は、リップ部Ｐ１の内側に係止する係止体１０と、リップ部Ｐ１の外側に係止する固定体２０と、更に、これらを連結する弾性連結体３０とで構成する（図１、図２参照）。また、本発明で使用する固定ボルトＱは、例えば吊りボルトや造営材等を固定するボルトなど、用途に応じて使い分けるものである。
【００２２】
係止体１０は、リップ溝形鋼のチャンネル材Ｐ開口部から内部に挿入され、少なくとも９０度の回転を可能にしたもので、係止体１０を回転することで、リップ部Ｐ１相互の内側に係止する（図６照）。図示例の係止体１０は、鋼板を断面略倒コ字状に屈曲して一対の補強片１２を対峙するように設けている（図１参照）。そして、この補強片１２の内側に後述する弾性連結体３０を挿入し、各補強片１２に設けた係止孔１１に弾性連結体３０を連結する。また、係止体１０の長手中央にネジ孔１３を開穿し（図３参照）、固定体２０側から挿入する固定ボルトＱをネジ止めするものである（図８参照）。更に、チャンネル材内部で係止体１０の回転を容易にする為に、回転方向の角部を切り欠いた回転端部１４と、係止体１０がリップ部Ｐ１相互に係止した状態でチャンネル材Ｐの内側面に当接し、それ以上の回転を防止する固定端部１５とを形成している（図４参照）。
【００２３】
固定体２０は、チャンネル材Ｐの開口部外側に係止する部材である（図６（Ｂ）参照）。固定体２０には、前記弾性連結体３０の長手両端部がスライド自在に突出するスライド孔２１を設けてある（図３参照）。また、固定体２０の中央部にボルト挿通孔２２を開穿し、固定体２０側から係止体１０のネジ孔１３にネジ止めする固定ボルトＱを挿通せしめるものである（図８参照）。ボルト挿通孔２２に固定ボルトＱを挿通する際は、このボルト挿通孔２２に係止する座金ＲやナットＳを装着し、係止体１０と固定体２０でリップ部Ｐ１を緊締するものである。図示の固定体２０は、鋼板の短手両端部を折り曲げてリップ部Ｐ１相互に架け渡す補強片２３を設けている（図６（Ｂ）参照）。
【００２４】
弾性連結体３０は、略帯状の弾性材にて形成され、固定体２０と係止体１０とを連結すると共に、湾曲した弾性連結体３０の弾性力で固定体２０と係止体１０とをリップ部Ｐ１に仮止するものである（図３参照）。
【００２５】
この弾性連結体３０は、前記固定体２０の長手両端部に設けたスライド孔２１から弾性連結体３０の長手両端部がスライド自在に突出するように設けてある。そのため、弾性連結体３０の材質として樹脂板が好適である。弾性連結体３０の長手中央には、固定ボルトＱを挿通する挿通孔３１を開穿している（図１参照）。また、弾性連結体３０の長手中央部の両側に係止突起３２を突設し、前記係止体１０の係止孔１１に係止突起３２を嵌合することで係止体１０と固定体２０とを連結する。そして、スライド孔２１から突出した弾性連結体３０の長手両端部をチャンネル材の内部に押し込むと、係止体１０を固定体２０からリップ部Ｐ１の厚み分スライドするように設けたものである（図６（Ａ）参照）。図示の弾性連結体３０は、長手端部夫々に、固定体２０のスライド孔２１に係止する一対の抜止片３３を設けてある（図１参照）。また、該抜止片３３の間に略スリット状の撓み部３４を形成し、抜止片３３をスライド孔２１に挿入し易くしている。
【００２６】
本発明の使用方法は次のとおりである。まず、固定体２０のスライド孔２１からと出した弾性連結体３０の端部を押し込むようにしながら固定体２０を把持する（図５参照）。すると、弾性連結体３０が湾曲し、弾性連結体３０に連結された係止体１０が固定体２０から離れた位置で保持される。この状態で係止体１０をチャンネル材Ｐの内部に挿入する（図６（Ａ）参照）。その状態で固定体２０を９０度回転させると、チャンネル材Ｐの内部で係止体１０が９０度回転し、リップ部Ｐ１の内側に係止する状態になる。そこで固定体２０から手を離すと（図６（Ｂ）参照）、湾曲した弾性連結体３０の弾性力にて、スライド孔２１から弾性連結体３０の端部が突出しながら係止体１０を固定体２０側に付勢し、この結果、係止体１０と固定体２０とがリップ部Ｐ１を内外で挟着して仮止め状態となるものである。
【００２７】
仮止め状態から位置を調整するには、リップ部Ｐ１に沿って固定体２をスライドさせるだけでよい（図７参照）。また、一旦仮止めした後に、除去する場合は、再び弾性連結体３０の両端部を押し込むようにしながら固定体２０を把持し、そのまま固定体２０を９０度回転させることで係止体１０とリップ部Ｐ１との係止状態を解除し（図６（Ａ）参照）、そのまま開口部から係止体１０を引き上げるものである。
【００２８】
本発明における固定ボルトＱとは、例えば吊りボルトであり、また、造営材の連結ボルトであるなど、用途に応じて任意に変更することができる。また、図示例の各構成は、本発明の一実施例に過ぎず、形状、寸法等の設計変更は勿論、材質の転換及び用途の変更など、現在知られている技術範囲で自由に変更することができるものである。
【図面の簡単な説明】
【００２９】
【図１】本発明固定金具の一実施例を示す分解斜視図である。
【図２】本発明固定金具の一実施例を示す斜視図である。
【図３】本発明固定金具の一実施例を示す横断面図である。
【図４】本発明固定金具の一実施例を示す底面図である。
【図５】本発明固定金具を取付ける状態を示す斜視図である。
【図６】本発明固定金具の位置調整状態を示す斜視図である。
【図７】本発明固定金具の装着状態を示す斜視図である。
【図８】本発明固定金具を取付ける状態を示す斜視図であり、（Ａ）は開口部に挿入する状態を示し、（Ｂ）は係止体がリップ部に係止した状態を示す側面図である。
【図９】従来の固定金具を示し、（Ａ）は装着状態を示し、（Ｂ）は取外し状態を示す斜視図である。
【符号の説明】
【００３０】
Ｐ  チャンネル材
Ｐ１  リップ部
Ｑ  固定ボルト
Ｒ  座金
Ｓ  ナット
１０  係止体
１１  係止孔
１２  補強片
１３  ネジ孔
１４  回転端部
１５  固定端部
２０  固定体
２１  スライド孔
２２  ボルト挿通孔
２３  補強片
３０  弾性連結体
３１  挿通孔
３２  係止突起
３３  抜止片
３４  撓み部
【図１】
2005188700.tif 000003
【図２】
2005188700.tif 000004
【図３】
2005188700.tif 000005
【図４】
2005188700.tif 000006
【図５】
2005188700.tif 000007
【図６】
2005188700.tif 000008
【図７】
2005188700.tif 000009
【図８】
2005188700.tif 000010
【図９】
2005188700.tif 000011